(57)【要約】【課題】自動販売機に適用する消臭フィルタとして、商品収納庫の庫内壁面への取付け，交換の作業性改善と併せて、断熱性向上にも寄与する有用な消臭フィルタを提供する。【解決手段】商品収納庫内に布設して庫内に発生した異臭を吸着させる消臭フィルタ１０を、樹脂シート１１を取付基材として該樹脂シートの片面に重ね合わせた通気性シート１２の間に消臭材１３を充填した上で、樹脂シートと通気性シートとの周域を貼り合わせ、通気性シートを庫内側に向けて樹脂シートを前記壁面に固定する。これにより、従来採用してた汎用品の消臭フィルタと比べて、部品として取扱い易く、自動販売機の庫内への取付け，交換時の作業が楽に行え、また樹脂シートを消臭フィルタの取付基材としたことで、接着剤との接着性が向上するほか、状況に応じてビス止めも可能となる。【選択図】　　　図１
2004021807.tif 000002
【特許請求の範囲】
【請求項１】
商品収納ラックを搭載した本体キャビネットの庫内に冷気／暖気を循環送風して収納商品を保冷／加温する自動販売機に対し、その商品収納庫の庫内壁面に布設して使用する自動販売機の消臭フィルタであって、樹脂シートを取付基材として該樹脂シートの片面に重ね合わせた通気性シートの間に消臭材を充填した上で、樹脂シートと通気性シートとの周域を貼り合わせ、通気性シートを庫内側に向けて樹脂シートを前記壁面に固定したことを特徴とする自動販売機の消臭フィルタ。
【請求項２】
請求項１記載の消臭フィルタにおいて、樹脂シートを商品収納庫の断熱シートとして、該断熱シートの一部面域と通気性シートの間に所要量の消臭材を充填したことを特徴とする自動販売機の消臭フィルタ。
【請求項３】
請求項１または２のいずれかの項に記載の消臭フィルタにおいて、消臭材が、シート状の網状担体に粒子ないし粉末の消臭剤を添着させたものであることを特徴とする自動販売機の消臭フィルタ。
【発明の詳細な説明】
【０００１】
【発明の属する技術分野】
本発明は、缶，びん商品などをコールドないしホット商品として販売する自動販売機に適用する消臭フィルタに関する。
【０００２】
【従来の技術】
まず、本発明の実施対象となる頭記自動販売機の構成を図３に示す。図において、１は断熱筐体としてなる自動販売機の本体キャビネット、２は前面外扉、３は商品取出口、４は断熱内扉、５はキャビネット１の庫内に収設した商品収納ラック、６は商品搬出シュータ、７は庫内底部側に配置した冷却／加熱ユニット（冷却器（冷凍機のエバポレータ），電熱ヒータ，庫内ファンと風胴を組合せたユニット）、７ａは冷却／加熱ユニット７の風胴に連ねてキャビネット１の庫内壁の前面に敷設した背面ダクト、８はキャビネット１の底部に搭載した冷凍機のコンデンシングユニットであり、缶，びんなどの商品９は商品収納ラック５に積み上げ収納されている。
【０００３】
上記構成の自動販売機の販売動作は周知の通りであり、コールド商品販売モードでは、冷凍機を運転し、前記冷却器と熱交換した冷気をキャビネット１の庫内に循環送風して収納商品９を保冷する。また、ホット商品販売モードでは、電熱ヒータで加熱した暖気を庫内に循環送風して収納商品を加温する。
また、前記の自動販売機では、図示のように庫内の背面壁（庫内空気が背面ダクト７ａに吸い込まれる通風路）に消臭フィルタ１０を布設し、長期稼働中に商品収納庫内に発生する異臭（飲料のこぼれ，汚れなどに起因する）を吸着して庫内の環境維持を図るようにしている。
【０００４】
ここで、消臭フィルタ１０として、従来では図４に示すように不織布，連続気泡フォームなどで作られた厚みのある通気性のフィルタ基材に粒子状／粉末状の活性炭あるいは他の種類の消臭剤を添着させた構成で市販されている汎用の消臭フィルタを採用しており、この消臭フィルタ１０を適宜なサイズに裁断した上で、接着剤，粘着テープなどを使ってキャビネット１の庫内壁面に貼り付けて固定するようにしている。
【０００５】
【発明が解決しようとする課題】
ところで、前記した汎用品の消臭フィルタを採用して自動販売機の庫内壁面に貼り付ける場合には、そのフィルタ基材が厚みのあるクッション材であることから部品として取扱い難く、また接着剤との接着性が悪くて取付け作業に手間がかかるほか、自動販売機の長期稼働の間に接着力が低下して消臭フィルタが壁面から脱落するトラブルがしばしば発生する。
【０００６】
そこで、本発明の目的は、自動販売機に適用する消臭フィルタとして、商品収納庫の庫内壁面への取付け，交換の作業性向上，安定した取付け状態の確保と併せて、商品収納庫の断熱性改善にも寄与する有用な自動販売機の消臭フィルタを提供することにある。
【０００７】
【課題を解決するための手段】
上記目的を達成するために、本発明によれば、樹脂シートを取付基材として該樹脂シートの片面に重ね合わせた通気性シートの間に消臭材を充填した上で、樹脂シートと通気性シートとの周域を貼り合わせ、通気性シートを庫内側に向けて樹脂シートを前記壁面に固定する（請求項１）ものとし、その具体的な態様として次記のように構成する。
【０００８】
（１）　樹脂シートを商品収納庫の断熱シートとして、該断熱シートの一部面域と通気性シートの間に消臭材を充填する（請求項２）。
（２）　シート状の網状担体に粒子ないし粉末の消臭剤を添着させて消臭材を構成する（請求項３）。
上記構成の消臭フィルタは、シート状であって部品として取扱い易く、自動販売機の庫内への取付け，フィルタ交換作業が楽に行える。また、樹脂シートを消臭フィルタの取付基材としたことで接着剤との接着性が向上するほか、状況に応じてビス止めも可能となるなど、これにより自動販売機の長期稼働中に消臭フィルタが不測に脱落したりすることもなく、安定した取付け状態を確保できる。
【０００９】
また、従来では商品収納庫の断熱性を高めて自動販売機の省エネ化を図るために、庫内の壁面に別部品の断熱シート（樹脂シート）貼り付けることが一部の自動販売機で実施されているが、前記消臭フィルタの樹脂シートの断熱性を利用し、その樹脂シートの面積を拡大して用いることにより、消臭フィルタに断熱シートの機能を持たせることができて部品点数の削減化が図れる。
【００１０】
【発明の実施の形態】
以下、本発明の実施の形態を図１，図２に示す実施例に基づいて説明する。
〔実施例１〕
まず、図１（ａ），（ｂ）　に示す実施例においては、消臭フィルタ１０が、フィルタの取付基材となる樹脂シート１１と、該樹脂シート１１の片面に重ね合わせてその周域を溶着，あるいは接着剤で貼り合わせた通気性シート（例えば不織布などの繊維シート）１２と、樹脂シート１１と通気性シート１２との間に充填した消臭材１３とからなる。また、消臭材１３は、粒子ないし粉末状活性炭などの消臭剤１３ａをシート状の網状担体１３に分散して添着させて構成している。
【００１１】
そして、この消臭フィルタ１０を自動販売機の庫内に取り付けるには、通気性シート１２を庫内側に向け、樹脂シート１１の裏面を庫内の壁面に添わせて接着剤，粘着テープ，あるいはビス止めにより定位置に固定する。
〔実施例２〕
次に、本発明の請求項２に対応する実施例を図２に示す。この実施例では、消臭フィルタ１０は基本的に先記実施例１と同様な構成であるが、特に消臭フィルタ１０の取付基材となる樹脂シートの面積を拡大して断熱シート１４とした上で、その面域一部に所定量の消臭材１３を通気シート１２との間に充填するようにし、この断熱シート１４を自動販売機の庫内壁面に貼り付けてキャビネット１の断熱性を高め、自動販売機の省エネ化を推進するようにしている。
【００１２】
【発明の効果】
以上述べたように、本発明によれば、自動販売機のキャビネット庫内に布設して庫内に発生した異臭を吸着させる消臭フィルタを、樹脂シートを取付基材として該樹脂シートの片面に重ね合わせた通気性シートの間に消臭材を充填した上で、樹脂シートと通気性シートとの周域を貼り合わせ、通気性シートを庫内側に向けて樹脂シートを前記壁面に固定したことにより、
従来採用していた汎用品の消臭フィルタと比べて、部品として取扱い易く、自動販売機の庫内への取付け，あるは消臭フィルタ交換時の作業が楽に行える。また、樹脂シートを消臭フィルタの基材シートとしたことにより、接着剤との接着性が向上し、また状況に応じてビス止めも可能となるなど、これにより自動販売機の長期稼働中に消臭フィルタが不測に脱落したりすることもなく、安定した取付け状態を確保できる。
【００１３】
また、前記消臭フィルタの樹脂シートの断熱性を利用し、その樹脂シートの面積を拡大して用いることにより、消臭フィルタに断熱シートの機能を持たせることができて部品点数の削減化が図れる。
【図面の簡単な説明】
【図１】本発明の実施例１に対応する消臭フィルタの構成図で、（ａ），（ｂ）　はそれぞれ一部断面の平面図，および断面図
【図２】本発明の実施例２に対応する消臭フィルタの構成図で、（ａ），（ｂ）　はそれぞれ一部断面の平面図，および断面図
【図３】本発明の実施対象となる自動販売機の概要構成図
【図４】従来の自動販売機に採用されている消臭フィルタの斜視図
【符号の説明】
１　　自動販売機の本体キャビネット
５　　商品収納ラック
７　　冷却／加熱ユニット
１０　　消臭フィルタ
１１　　樹脂シート（取付基材）
１２　　通気性シート
１３　　消臭材
１３ａ　消臭剤
１３ｂ　網状担体
１４　　断熱シート
【図１】
2004021807.tif 000003
【図２】
2004021807.tif 000004
【図３】
2004021807.tif 000005
【図４】
2004021807.tif 000006